(57)【要約】      （修正有）【課題】複数のＪＩＳ規格の十字ねじをねじ回すことのできる汎用型の十字ねじ回しおよびドライバビットを提供する。【解決手段】長い直線部と、前記規定された１号サイズのＰＨ形十字ねじ回しにおける隣り合う２つのプラス刃面間に削成された凹溝幅よりも小さい凹溝幅とを有し、前記プラス刃面の内端径が、前記規定された２号サイズのＰＨ形十字ねじ回しの呼び本体直径よりも大きくかつ３号サイズのＰＨ形十字ねじ回しの呼び本体直径よりも小さく、前記プラス刃面の外端径が、前記規定された１号サイズのＰＨ形十字ねじ回しの先端幅よりも大きくかつ２号サイズのＰＨ形十字ねじ回しの先端幅よりも小さく、前記規定された１号乃至３号サイズのＨ形、Ｓ型、ＰＨ形またはＰＺ形十字ねじ回しに対応する十字穴付きボルトのねじ回しが可能である十字ねじ回し。【選択図】図６
0003109690.tif 000002
【実用新案登録請求の範囲】
【請求項１】
十字穴に挿入する先端部が、ＪＩＳ  Ｂ  ４６３３「十字ねじ回し」に規定された３号サイズのＰＨ形十字ねじ回しの先端部の最小直線部長さ（ｌ）よりも長い直線部と、
前記規定された１号サイズのＰＨ形十字ねじ回しにおける隣り合う２つのプラス刃面間に削成された凹溝幅（ｅ）よりも小さい凹溝幅とを有し、かつ、
前記プラス刃面の内端径が、前記規定された２号サイズのＰＨ形十字ねじ回しの呼び本体直径（ｄ）よりも大きくかつ３号サイズのＰＨ形十字ねじ回しの呼び本体直径（ｄ）よりも小さく、
前記プラス刃面の外端径が、前記規定された１号サイズのＰＨ形十字ねじ回しの先端幅（ｇ）よりも大きくかつ２号サイズのＰＨ形十字ねじ回しの先端幅（ｇ）よりも小さく、
前記規定された１号乃至３号サイズのＨ形、Ｓ型、ＰＨ形またはＰＺ形十字ねじ回しに対応する十字穴付きボルトのねじ回しが可能である十字ねじ回し。
【請求項２】
前記プラス刃面の内端径が６.５ｍｍ乃至７．５ｍｍであり、
前記プラス刃面の外端径が１．９ｍｍ乃至２．０ｍｍであり、
かつ旋転角度が１８度以下であることを特徴とする請求項１記載の十字ねじ回し。
【請求項３】
請求項１または２記載の十字ねじ回しの先端部を備えるドライバビット。
【考案の詳細な説明】
【技術分野】
【０００１】
本考案は汎用の十字ねじ回し(プラスドライバ)に関し、特に複数のサイズの十字穴付きネジをねじ回すことのできる十字ねじ回しおよびドライバビットに関する。
【背景技術】
【０００２】
ボルトを締めたり、或は緩めたりする時、通常はボルトに合ったねじ回し(ドライバ)を選び、その頭部をボルトのみぞにしっかりと挿入し、回すことによりボルトを締めたり、或は緩めたりすることができる。
【０００３】
ドライバ頭部を挿入するボルトヘッドのみぞの形は十字型または一字型がよく見られ、十字型が最も一般的に普及している。
【０００４】
ボルトは対象物を固定するという目的に合わせ、それぞれ異なる規格で製造されている。サイズも異なれば、ボルトヘッドのみぞの規格も異なり、異なる規格のボルトの締め或は緩めにはそれぞれに相応する規格の十字ねじ回しが適当であるが、多種存在するボルトの規格に相応する多種規格の十字ねじ回しをすべて揃えるにはコスト高や収納、携帯に不便であるという問題がある。そこで製造者はＪＩＳ  Ｂ  １１１１「十字穴付き小ねじ」等の規格に基づき、ボルトヘッドのみぞのサイズを３号(大)、２号(中)、１号(小)の３つの規格で製造することが一般的である。ただし、前記ＪＩＳ規格ではこの他に０号(極小)および４号(極大)の十字穴も規定されているが、一般家庭用としてはあまり普及していない。一方、十字ねじ回しもこれに対応し、主に３種の規格で製造している。
【０００５】
現有の十字ねじ回しの頭部は適当な錐度を有する挿入段が形成され、菱形に削成された菱溝が対角状にそれぞれ２対設けられることにより、十字型の凸片、即ち、十字ねじ回し頭部を形成し、十字ねじ回し頭部をボルトヘッドのみぞに挿入させ、これを回すことにより締め或は緩めの動作を行なう。
【０００６】
十字ねじ回しの頭部の挿入段の凸片はボルトヘッドのみぞの規格に合わせて製造されている為、ボルトヘッドのみぞの規格に合わない十字ねじ回しで締め或は緩めの動作を行なうと、ドライバ挿入段の凸片とボルトヘッドのみぞとが緊密に噛み合うことができず(カムアウト)、更に、十字ねじ回しの材質はボルトの材質より硬い為、無理に回そうとすれば、みぞが潰れ(リーチアウト)、続けて回すことができなくなるだけではなく、更に、完全に潰れてしまえば、まったく回すことができなくなり、ボルトや固定した対象物が取り外せなくなったりする恐れがある。
【０００７】
そこで、通常は複数のサイズのねじ回しを用意し規格の合う物を使用するか、またはドライバビットを交換可能とするペン型ねじ回しにより汎用性を持たせている。後者の例としては先行文献１(特許文献１：特開２００１−６２７３９号公報)にマルチプルペン型ねじ回しの発明が記載されている。
【特許文献１】特開２００１−６２７３９号公報
【考案の開示】
【考案が解決しようとする課題】
【０００８】
しかし、規格の異なる十字ねじ回しまたはドライバビットを何本か用意してボルトヘッドのみぞの規格に合うものを選択するとしても、合わない規格の十字ねじ回しを間違って使用した場合(特にねじ穴に対して小さな規格のねじ回しを選択した場合)を考慮すると、リーチアウトなどの上記課題の発生を完全に解決することはできない。
【０００９】
上記課題を解決する為には各規格のボルトに共通して使用することができる一本の十字ねじ回しが必要となる。そこで本考案では複数のＪＩＳ規格の十字ねじをねじ回すことのできる汎用型の十字ねじ回しおよびドライバビットを提供することを目的とする。
【課題を解決するための手段】
【００１０】
上記課題を解決するため本考案者は鋭意検討の末、ねじ回しの頭部の長さを長く、かつプラス刃面同士の間に削成される菱形の溝(菱溝)を深くシャープにし、更にプラス刃面の内端径と外端径を所定の寸法にすることにより、ＪＩＳ  Ｂ  ４６３３「十字ねじ回し」に規定される複数の十字ねじ回しの規格に対応するプラスねじをねじ回すことが可能になるとの知見に基づき、本考案の完成に到った。
【００１１】
すなわち、以下の考案によれば、上記の各課題を解決することが可能である。
（１）十字穴に挿入する先端部が、ＪＩＳ  Ｂ  ４６３３「十字ねじ回し」に規定された３号サイズのＰＨ形十字ねじ回しの先端部の最小直線部長さ（ｌ）よりも長い直線部と、
前記規定された１号サイズのＰＨ形十字ねじ回しにおける隣り合う２つのプラス刃面間に削成された凹溝幅（ｅ）よりも小さい凹溝幅とを有し、かつ、
前記プラス刃面の内端径が、前記規定された２号サイズのＰＨ形十字ねじ回しの呼び本体直径（ｄ）よりも大きくかつ３号サイズのＰＨ形十字ねじ回しの呼び本体直径（ｄ）よりも小さく、
前記プラス刃面の外端径が、前記規定された１号サイズのＰＨ形十字ねじ回しの先端幅（ｇ）よりも大きくかつ２号サイズのＰＨ形十字ねじ回しの先端幅（ｇ）よりも小さく、
前記規定された１号乃至３号サイズのＨ形、Ｓ型、ＰＨ形またはＰＺ形十字ねじ回しに対応する十字穴付きボルトのねじ回しが可能である十字ねじ回し。
【００１２】
また本考案は、その具体的な実施の態様として以下の各関連考案を含むものである。
（２）前記プラス刃面の内端径が６.５ｍｍ乃至７．５ｍｍであり、
前記プラス刃面の外端径が１．９ｍｍ乃至２．０ｍｍであり、
かつ旋転角度が１８度以下であることを特徴とする(１)記載の十字ねじ回し。
（３）(１)または(２)記載の十字ねじ回しの先端部を備えるドライバビット。
【考案の効果】
【００１３】
本考案によれば、複数のＪＩＳ規格の十字穴付きねじをねじ回すことのできる汎用型の十字ねじ回しまたはドライバビットが提供される。かかるねじ回しまたはドライバビットは携帯、収納性やコストに優れることは勿論、ねじ穴とねじ回しの規格が相違することによるねじ溝の潰れなどの問題も解決することができる。
【考案を実施するための最良の形態】
【００１４】
以下、本考案の実施の形態について図面を用いて具体的に説明する。ただし本考案は以下の実施の形態に限られるものではない。図１は本考案の実施の形態にかかる十字ねじ回し頭部を模式的に表わす斜視図、図２は斜め方向から見た平面図である。２０はねじ回し頭部、２１は挿入段を設けた先端部であるが、該先端部と頭部２０は段差または繋ぎ目のないフラットな構造でもよい。
【００１５】
２３、２３’はプラス刃部を構成する凸片である。先端部２１を軸にそって菱形に削成してなる菱溝２２、２２’を各凸片は両側に備えている。菱溝は十字ねじ回しの軸周りに等間隔に４つ削成されることで、凸片が該軸方向から見て十字(プラス)状を為す。
【００１６】
図３は先端部２１の右側面図、図４は正面図である。本考案にかかる十字ねじ回しは、従来品に対し、菱溝２２の削成を深くかつシャープにし、菱溝２２のエッジに削成される凹溝の幅（ｅ）を小さくすることを特徴とする。図１および２は、この凹溝幅（ｅ）が限りなくゼロに近い状態を図示したものである。
【００１７】
本考案は、ＪＩＳ  Ｂ  ４６３３「十字ねじ回し」に規定された３号サイズの十字ねじ回しよりも直線部（ｌ）を長くし、同じく１号サイズの十字ねじ回しよりも凹溝幅（ｅ）を小さくし、かつプラス刃面の内端径および外端径を所定の寸法とすることで、該規定された１号から３号までの十字ねじ回しに対応する十字ねじをネジ回すことを可能とするものである。
【００１８】
上記ＪＩＳ規格において、３号ドライバの呼び本体直径（ｄ）は８ｍｍ、２号ドライバの同直径は６ｍｍであることから、本考案においては前記凸片の最大幅であるプラス刃面の内端径Ａ１は７ｍｍ程度、好ましくは６．５ｍｍ乃至７．５ｍｍとするのが好適である。
【００１９】
また、同ＪＩＳ規格において、ＰＨ形ドライバのプラス刃面の外端径（ｇ）は、２号ドライバで２．２６乃至２．３１ｍｍ、１号ドライバで１．２５乃至１．３ｍｍ、旋転度（γ）はいずれも最大１９°と規定されているところ、本考案においては外端径Ａ２を１．９乃至２．０ｍｍ、旋転度（γ）の最大値を１８°とすることが好適である。
【００２０】
これらの寸法を採用することにより、１号乃至３号ドライバに対応する十字穴付きねじを一本のねじ回しによってネジ回すことが可能となる。なお、前記ＪＩＳ規格にはＨ形、Ｓ型、ＰＨ形、ＰＺ形の４種類の十字ねじ回しが規定されているが、上記寸法を採用した本考案にかかる十字ねじ回しによって汎用的に締め付けまたは緩めができるねじはＰＨ形に対応する規格のみに限られるものではない。
【００２１】
図５は３号ドライバに対応する中〜大型のボルトに本考案の十字ねじ回しを差し込んだ状態の斜視図、図６は１号ドライバに対応する小〜中型のボルトに本考案の十字ねじ回しを差し込んだ状態の斜視図である。
【００２２】
図５に示すように、中〜大型のボルトをネジ回す場合は、プラス刃面の幅の広い部分である内端径Ａ１の大きさおよび当該部位の凸片の厚さが、差し込み溝３１とねじ回しが適合するか否かを決定する要因となる。よって本考案では同径Ａ１を７ｍｍ程度とし、プラス刃面を外端から内端にかけて徐々に厚くし、更に後述するように凹溝の幅（ｅ）を小さくすることにより、２号および３号ドライバとしての機能を両立させるものとする。
【００２３】
一方、図６に示すように、小〜中型のボルトをネジ回す場合は、プラス刃面の先端の径である外端径Ａ２の大小が、特に小型ボルトの差し込み溝４１と適合するか否かを決定する要因となる。ここで、差し込み溝４１との適合性については、旋転度（γ）を１号および２号ドライバの規格値よりも小さくし、先端をフラットにすることで、十字ねじ穴に深く嵌合しすぎることなくプラス刃面の先端部を差し込み溝４１と当接させることができる。
【００２４】
また小型ボルトをプラス刃面の中段より先のみでねじ回すことから、先端部２１の直線部の長さ（ｌ）を十分に長くとり、３号ＰＨ形ドライバの直線部の長さよりも長くすることが好適である。
【００２５】
また、菱溝２１のエッジに削成される凹溝の幅（ｅ）を１号ＰＨ形ドライバの規格値である０．４９ｍｍ以下とすることで、１号ドライバよりも外端径Ａ２の大きな本考案にかかる十字ねじ回しであっても、１号ドライバに対応する小型のねじ穴に適合させることができる。このことは、２号ドライバと３号ドライバの中間サイズの内端径Ａ１を有する本考案の十字ねじ回しを、図５に示すように２号ドライバに対応する中型のねじ穴に適合可能であることも同じ理由による。
【００２６】
以上により、ボルト３０または４０とは異なる規格の従来の十字ねじ回しの使用による、差し込み溝３１、４１の潰れを防止することができ、携帯性や収納性に優れる汎用型の十字ねじ回しを得ることができる。
【００２７】
また本考案にて提供される十字ねじ回しは、軸や把手の種別ならびに材質については何ら限定されるものではない。従って、代表的には一本の手回しドライバとして提供される上記の実施の形態のほか、同一の先端部形状を有する電動ドライバや、ドライバビットとして提供することもできる。たとえば後者の場合、一字(マイナス)ドライバビットなどと選択的に交換可能とすることで、極めて少ないビット数によって汎用的なねじ回しを得ることができる。
【産業上の利用可能性】
【００２８】
本考案にかかる十字ねじ回しおよびドライバビットは、複数のＪＩＳ規格に基づく十字穴付きねじをねじ回すことを可能とするものである。その他の規格に基づく十字穴付きねじについても、本考案と同じ技術的思想に基づいて先端部形状を好適化することにより複数の規格に対応する汎用型のドライバを得ることができる。またかかるドライバの軸や把手の形状、および駆動方式は何ら限定されないため、手回しドライバのほか、電動ドライバやドライバビットなどに応用することが可能である。
【図面の簡単な説明】
【００２９】
【図１】本考案の実施の形態にかかる十字ねじ回し頭部の斜視図。
【図２】本考案の実施の形態にかかる十字ねじ回し頭部の平面図。
【図３】本考案の実施の形態にかかる十字ねじ回し頭部の右側面図。
【図４】本考案の実施の形態にかかる十字ねじ回し頭部の正面図。
【図５】本考案の実施の形態にかかる十字ねじ回しによる大型ボルトの締め付け状態図。
【図６】本考案の実施の形態にかかる十字ねじ回しによる小型ボルトの締め付け状態図。
【符号の説明】
【００３０】
２０        十字ねじ回し頭部
２１        先端部
２２，２２’菱溝
２３，２３’凸片
３０，４０  ボルト
３１，４１  差し込み溝
Ａ１        プラス刃面の内端径
Ａ２        プラス刃面の外端径
ｌ          先端部長さ
ｅ          凹溝幅
γ          旋転度
【図１】
0003109690.tif 000003
【図２】
0003109690.tif 000004
【図３】
0003109690.tif 000005
【図４】
0003109690.tif 000006
【図５】
0003109690.tif 000007
【図６】
0003109690.tif 000008